(57)【特許請求の範囲】
【請求項１】
機器の脚部の鍔部より上方に配置された上板部を有すると共に、上方に浮き上がらないように固定された押さえ部材と、
前記押さえ部材の前記上板部と、前記脚部の前記鍔部との間に配置されたガタツキ防止部材とを備え、
前記ガタツキ防止部材は、その高さ寸法を大きくすることにより、前記ガタツキ防止部材の上面と、前記押さえ部材の前記上板部の下面との間の隙間を無くすことができるように形成された
ことを特徴とする機器固定部材。
【請求項２】
前記ガタツキ防止部材は、
板厚方向に貫通するメネジ孔が形成された上板部材と、
前記上板部材の下方に配置された下板部材を備え、
前記上板部材の上面側から前記メネジ孔にボルトをネジ込んでいくことにより、前記上板部材と前記下板部材の上下方向の間隔が広がるように形成された
ことを特徴とする請求項１に記載の機器固定部材。
【請求項３】
前記ガタツキ防止部材の前記上板部材、及び前記下板部材には、前記脚部の上下方向に伸びる支柱を挿通させる開口部が形成された
ことを特徴とする請求項２に記載の機器固定部材。
【発明の詳細な説明】
【技術分野】
【０００１】
本発明は、サーバーラック等の機器が地震等によって転倒することを防止する機器固定部材に関するものである。
【背景技術】
【０００２】
近年、高度情報化社会の到来に伴ってサーバー等のＩＴ機器で多量のデータが取り扱われるようになり、多数のＩＴ機器をデータセンター、サーバールーム等に設置して一括管理することが多くなっている。
【０００３】
図１８は、従来技術に係るデータセンター１を説明するために示す図である。図１８に示すように、データセンター１の部屋の床部には、二重床構造を備えたフリーアクセスフロア１２が形成され、複数のフロアパネル３がフリーアクセスフロア１２の床面を形成するように敷設されていた（例えば、特許文献１参照）。
【０００４】
フロアパネル３は、図１８に示すように、コンクリートの基礎床面５上から立設する支持脚８により所定の高さで水平に支持されて、データセンター１の部屋の床面を形成するように並べて敷設されることにより、このフロアパネル３と、その下方の基礎床面５との間の空間に配管や配線を通すことができるようになっていた。
【０００５】
また、図１９，２０に示すように、フロアパネル３の上面３ａ側には、２本の第１ガイドレール４が、上面３ａから上方に突出しないように埋め込まれて固定されていた。そして、第１ガイドレール４のレール内には、図２２に示すように、第１ガイドレール４の長さ方向（図２０中左右方向）に沿って移動できるように形成されたスライド部材７が配置されていた。
【０００６】
スライド部材７は、図２２中上方に引張られた場合に、第１ガイドレール４の上方に開口する開口部を通って、第１ガイドレール４内から上方に抜け出すことがないように形成されていた。
【０００７】
また、図２２に示すように、２本の第１ガイドレール４の間を架け渡すように、同図中左右方向に長さを有する第２ガイドレール６が、フロアパネル３の上面３ａに配置されていた。そして、第２ガイドレール６の長さ方向の両端部は、第１ガイドレール４内のスライド部材７に連結されていた。
【０００８】
また、第２ガイドレール６のレール内には、第２ガイドレール６の長さ方向（同図中左右方向）に沿って移動できるように形成された２つのスライド部材９が配置されていた。スライド部材９は、図２４中上方に引張られた場合に、第２ガイドレール６の上方に開口する開口部を通って、第２ガイドレール６内から上方に抜け出すことがないように形成されていた。
【０００９】
また、図１８に示すように、フロアパネル３の上面３ａには、サーバーラック１０（機器）が載置され、サーバーラック１０が地震等により転倒することを防止するために、サーバーラック１０の脚部１１は、図１９，２３に示すように、機器固定部材２により固定されていた。
【００１０】
図２４に示すように、サーバーラック１０の脚部１１は、サーバーラック１０の高さを調整する高さ調整ボルト１１ａと、高さ調整ボルト１１ａを支持する台座部１１ｄと、台座部１１ｄとフロアパネル３の上面３ａとの間に配置された漏電防止用の絶縁部材１１ｅを備えていた。
【００１１】
機器固定部材２は、段差を有する板状の押え部材１３（図２４参照）と、長板状の板部材１４（図２１参照）により構成され、押え部材１３と板部材１４は、鋼材等を用いてそれぞれ形成されていた。
【００１２】
押え部材１３は、図２４に示すように、同図中上下方向の段差を生じさせる段差部１３ａと、段差部１３ａの上端部より図中右方向に伸びる上側板部１３ｂと、段差部１３ａの下端部より図中左方向に伸びる下側板部１３ｃにより形成されていた（図２０参照）。
【００１３】
また、図２１に示すように、押え部材１３の上側板部１３ｂにおける、同図中上下方向に伸びる右側の辺部には、その開口形状がＵ字状のＵ字開口部１３ｄが形成されていた。
【００１４】
そして、押え部材１３は、図２１に示すように、高さ調整ボルト１１ａのオネジ部１１ｃが、上側板部１３ｂのＵ字開口部１３ｄを挿通すると共に、図２４に示すように、上側板部１３ｂの下面１３ｆと、高さ調整ボルト１１ａの下端部のボルト頭部１１ｂの上面１１ｆが接触するように配置されていた。
【００１５】
また、図２２に示すように、押え部材１３の下側板部１３ｃにおける、同図中左右方向の両端部には、同図中上下方向に貫通する貫通孔１３ｅがそれぞれ形成されていた。
【００１６】
そして、ボルト１５が貫通孔１３ｅを挿通してスライド部材９に形成されたメネジ孔にネジ締結されると共に、ナット１６が下側板部１３ｃの上面に接触するようにボルト１５にネジ締結されることにより、下側板部１３ｃはスライド部材９に連結されていた。
【００１７】
このように、上側板部１３ｂの下面１３ｆが高さ調整ボルト１１ａのボルト頭部１１ｂの上面１１ｆに接触すると共に、下側板部１３ｃが第２ガイドレール６内から上方に抜け出すことがないように形成されたスライド部材９に連結されることにより、押え部材１３は、脚部１１を上方へ浮き上がらないように固定していた（図２４参照）。
【００１８】
また、押え部材１３が、第２ガイドレール６内のスライド部材９に連結され、第２ガイドレール６が第１ガイドレール４内のスライド部材７に連結されていたため、押え部材１３は、第１ガイドレール４の長さ方向及び、第２ガイドレール６の長さ方向の両方向に沿って移動することができていた。
【００１９】
したがって、サーバーラック１０の脚部１１に対して、押え部材１３の水平方向の位置を合わせようとする場合には、押え部材１３を第１ガイドレール４、及び第２ガイドレール６の長さ方向に沿って移動させることにより、サーバーラック１０の脚部１１の位置に、押え部材１３を合わせることができていた。
【００２０】
板部材１４は、図２１に示すように、上側板部１３ｂのＵ字開口部１３ｄの開口側を図中上下方向に横切るように、その長さ方向（同図中上下方向）の両端部が上側板部１３ｂの上面にネジ締結により固定されていた（図２４参照）。
【００２１】
このように、板部材１４を押え部材１３の上側板部１３ｂに固定することにより、脚部１１が図２０中右側に移動して押え部材１３から離れようとした場合に、高さ調整ボルト１１ａのオネジ部１１ｃが、板部材１４に係合して、脚部１１の図２０中右側への移動が制限されるようになっていた（図２４参照）。
【先行技術文献】
【特許文献】
【００２２】
【特許文献１】特開２０１１−０６９５４２号公報
【発明の概要】
【発明が解決しようとする課題】
【００２３】
しかしながら、従来技術の機器固定部材２においては、高さ調整ボルト１１ａの下端部に配置されたボルト頭部１１ｂの上面１１ｆ（図２４参照）と、押え部材１３の上側板部１３ｂの下面１３ｆ（図２４参照）との間に隙間が生じてしまい、地震等の際にサーバーラック１０がガタツキ、そのガタツキによる振動でネジが緩んでしまうという問題があった。
【００２４】
それは、ボルト頭部１１ｂの上面１１ｆの高さ位置が、メーカーによって異なるため、ボルト頭部１１ｂの上面１１ｆと、押え部材１３の上側板部１３ｂの下面１３ｆの間に隙間が生じないように、上側板部１３ｂの下面１３ｆの高さを設定することが困難であるからである。
【００２５】
例えば、メーカーによって脚部１１の絶縁部材１１ｅの高さ寸法が異なるため、ボルト頭部１１ｂの上面１１ｆと、押え部材１３の上側板部１３ｂの下面１３ｆの間に隙間が空いてしまう場合があった。
【００２６】
そこで本発明は、上記問題点に鑑みて、地震等の際にサーバーラック等に機器がガタつくことを容易に防止する機器固定部材を提供することを課題とするものである。
【課題を解決するための手段】
【００２７】
上記課題を解決するために、本発明による機器固定部材は、
機器の脚部の鍔部より上方に配置された上板部を有すると共に、上方に浮き上がらないように固定された押さえ部材と、
前記押さえ部材の前記上板部と、前記脚部の前記鍔部との間に配置されたガタツキ防止部材とを備え、
前記ガタツキ防止部材は、その高さ寸法を大きくすることにより、前記ガタツキ防止部材の上面と、前記押さえ部材の前記上板部の下面との間の隙間を無くすことができるように形成されたことを特徴とするものである。
【００２８】
また、本発明による機器固定部材は、
前記ガタツキ防止部材は、
板厚方向に貫通するメネジ孔が形成された上板部材と、
前記上板部材の下方に配置された下板部材を備え、
前記上板部材の上面側から前記メネジ孔にボルトをネジ込んでいくことにより、前記上板部材と前記下板部材の上下方向の間隔が広がるように形成されたことを特徴とするものである。
【００２９】
また、本発明による機器固定部材は、
前記ガタツキ防止部材の前記上板部材、及び前記下板部材には、前記脚部の上下方向に伸びる支柱を挿通させる開口部が形成されたことを特徴とするものである。
【発明の効果】
【００３０】
このような本発明の機器固定部材によれば、
機器の脚部の鍔部より上方に配置された上板部を有すると共に、上方に浮き上がらないように固定された押さえ部材と、
前記押さえ部材の前記上板部と、前記脚部の前記鍔部との間に配置されたガタツキ防止部材とを備え、
前記ガタツキ防止部材は、その高さ寸法を大きくすることにより、前記ガタツキ防止部材の上面と、前記押さえ部材の前記上板部の下面との間の隙間を無くすことができるように形成されたことにより、
地震等の際にサーバーラック等に機器がガタつくことを容易に防止することができる。
【図面の簡単な説明】
【００３１】
【図１】本発明の実施の形態に係る機器固定部材２０が、フロアパネル３の上面３ａに載置されたサーバーラック１０の脚部１１を固定している状態を示す斜視図である。
【図２】図１に示す機器固定部材２０、脚部１１、及びフロアパネル３の上面図である。
【図３】図１に示す機器固定部材２０、脚部１１、及びスライド部材７の斜視図である。
【図４】図３に示す機器固定部材２０、脚部１１の上面図である。
【図５】図５に示す機器固定部材２０、脚部１１、及びスライド部材７の正面図である。
【図６】図３に示す機器固定部材２０、脚部１１、及びスライド部材７を解体した状態の斜視図である。
【図７】図７（ａ）は上板部材２１の上面図であり、図７（ｂ）は下板部材２２の上面図であり、図７（ｃ）は下板部材２３の上面図である。
【図８】図８（ａ）は、図７（ａ）に示す上板部材２１の左側面図であり、図８（ｂ）は、図７（ｂ）に示す下板部材２２の右側面図であり、図８（ｃ）は、図７（ｃ）に示す下板部材２３の正面図である。
【図９】図７に示す上板部材２１、下板部材２２、及び下板部材２３を脚部１１の高さ調整ボルト１１ａの下端部に設置していく過程を図９（ａ）〜（ｃ）の順に示す図である。
【図１０】上板部材２１の上面２１ａの高さ位置を比較するための図であって、図１０（ａ）は、ボルト２６を所定の深さまでネジ込んだ状態の図であり、図１０（ｂ）は、図１０（ａ）の状態から更にボルト２６をネジ込んだ後の状態の図である。
【図１１】高さ調整ボルト１１ａのボルト頭部１１ｂの上面１１ｆから、上板部材２１の上面２１ａまでの高さを比較するための図であって、図１１（ａ）は、ボルト２６を所定の深さまでネジ込んだ状態の図であり、図１１（ｂ）は、図１１（ａ）の状態から更にボルト２６をネジ込んだ後の状態の図である。
【図１２】図１２（ａ）は図４に示す押え部材２４の正面図であり、図１２（ｂ）は図４に示す押え部材２５の正面図である。
【図１３】図２に示す機器固定部材２０、脚部１１、及びフロアパネル３のＡ−Ａ線矢視断面図である。
【図１４】図１３の機器固定部材２０、脚部１１、及びフロアパネル３の一部を拡大して示す拡大部分断面図である。
【図１５】図２に示す機器固定部材２０、脚部１１、及びフロアパネル３のＢ−Ｂ線矢視断面図である。
【図１６】図１５の機器固定部材２０、脚部１１、及びフロアパネル３の一部を拡大して示す拡大部分断面図である。
【図１７】上板部材２１の上面２１ａと、押え部材２４，２５の上板部２４ｂ，２５ｂの下面２４ｅ，２５ｅとの隙間を比較するための図であって、図１５（ａ）は、ボルト２６を所定の深さまでネジ込んだ状態の図であり、図１５（ｂ）は、図１５（ａ）の状態から更にボルト２６をネジ込んだ後の状態の図である。
【図１８】従来技術に係る機器固定部材２が使用されるデータセンター１において、サーバーラック１０がフロアパネル３の上面３ａに載置された状態を示す概略側面図である。
【図１９】図１８のフロアパネル３の上面３ａに載置されたサーバーラック１０の脚部１１を機器固定部材２が固定している状態を示す斜視図である。
【図２０】図１９に示す機器固定部材２、脚部１１、及びフロアパネル３の上面図である。
【図２１】図２０に示す機器固定部材２、脚部１１の部分を拡大して示す部分拡大図である。
【図２２】図２０に示す機器固定部材２、及びフロアパネル３のＣ−Ｃ線矢視断面図である。
【図２３】図２０に示す機器固定部材２、脚部１１、及びフロアパネル３の正面図である。
【図２４】図２３に示す機器固定部材２、脚部１１の部分を拡大して示す部分拡大図である。
【発明を実施するための形態】
【００３２】
以下、本発明に係る機器固定部材を実施するための形態について、図面に基づいて具体的に説明する。
図１から図１７は、本発明の実施の形態に係る機器固定部材２０について説明するために参照する図である。
【００３３】
本実施の形態に係る機器固定部材２０は、図１から図５に示すように、フロアパネル３の上面３ａに載置されたサーバーラック１０（図１８参照）の脚部１１の下端部を、上方から押え付けることができるように構成されている。
【００３４】
機器固定部材２０は、図６に示すように、上板部材２１、下板部材２２，２３、押え部材２４，２５、ボルト２６，２７等により構成され、これらの部材を組み合わせることにより脚部１１を固定している。上板部材２１、下板部材２２，２３、押え部材２４，２５は、それぞれ鋼材等を用いて形成されている。
【００３５】
図７（ａ）に示すように、略コの字状の上面２１ａを有する上板部材２１（ガタツキ防止部材）には、同図中上下方向に伸びる左側の辺部に、その開口形状がＵ字状のＵ字開口部２１ｂが形成されると共に、その板厚方向（図８（ａ）中上下方向）に貫通する２つのメネジ孔２１ｃが形成されている。
【００３６】
また、図８（ａ）に示すように、上板部材２１における、同図中左右方向の両端部には、同図中下方に折り曲げられた折曲部２１ｄがそれぞれ形成されている。上板部材２１は、このような折曲部２１ｄが形成されていることにより、その曲げ強度が向上するようになっている。
【００３７】
図７（ｂ）に示すように、略コの字状の上面２２ａを有する下板部材２２（ガタツキ防止部材）には、図中上下方向に伸びる右側の辺部に、その開口形状がＵ字状のＵ字開口部２２ｂが形成されている。
【００３８】
また、図８（ｂ）に示すように、下板部材２２における、同図中左右方向の両端部には、同図中下方に折り曲げられた折曲部２２ｃがそれぞれ形成されている。下板部材２２は、このような折曲部２２ｃが形成されていることにより、その曲げ強度が向上するようになっている。
【００３９】
図７（ｃ）に示すように、略コの字状の上面２３ａを有する下板部材２３（ガタツキ防止部材）には、図中左右方向に伸びる上側の辺部に、その開口形状がＵ字状のＵ字開口部２３ｂが形成されている。
【００４０】
また、図８（ｃ）に示すように、下板部材２３における、同図中左右方向の両端部には、同図中上方に折り曲げられた折曲部２３ｃがそれぞれ形成されている。下板部材２３は、このような折曲部２３ｃが形成されていることにより、その曲げ強度が向上するようになっている。
【００４１】
図９（ａ）〜（ｃ）は、脚部１１の高さ調整ボルト１１ａの下端部を囲むように、上板部材２１、及び下板部材２２，２３が設置されていく過程を（ａ）〜（ｃ）の順に示している。
【００４２】
上板部材２１は、図９に示すように、下板部材２２，２３の上方に配置されると共に、高さ調整ボルト１１ａのオネジ部１１ｃ（支柱）が、Ｕ字開口部２１ｂ（図７（ａ）参照）を挿通するように配置されている。
【００４３】
図９（ｂ）に示すように、高さ調整ボルト１１ａのオネジ部１１ｃは、Ｕ字開口部２１ｂ（図７（ａ）参照）における、開口側とは反対側の円弧部２１ｅ（図７（ａ）参照）に接触するように、Ｕ字開口部２１ｂを挿通している（図４参照）。
【００４４】
また、下板部材２２は、図９に示すように、下板部材２３の上面２３ａに配置される（図１０参照）と共に、高さ調整ボルト１１ａのオネジ部１１ｃが、Ｕ字開口部２２ｂ（図７（ｂ）参照）を挿通するように配置されている。
【００４５】
図９（ａ）に示すように、高さ調整ボルト１１ａのオネジ部１１ｃは、Ｕ字開口部２２ｂ（図７（ｂ）参照）における、開口側とは反対側の円弧部２２ｄ（図７（ｂ）参照）に接触するように、Ｕ字開口部２２ｂを挿通している。
【００４６】
また、下板部材２３は、図９に示すように、高さ調整ボルト１１ａの図中下端部に配置されたボルト頭部１１ｂ（鍔部）の上面１１ｆ（図１１参照）に配置されると共に、高さ調整ボルト１１ａのオネジ部１１ｃが、Ｕ字開口部２３ｂ（図７（ｃ）参照）を挿通するように配置されている。
【００４７】
図９（ａ）に示すように、高さ調整ボルト１１ａのオネジ部１１ｃは、Ｕ字開口部２３ｂ（図７（ｃ）参照）における、開口側とは反対側の円弧部２３ｄ（図７（ｃ）参照）に接触するように、Ｕ字開口部２３ｂを挿通している。
【００４８】
このように、上板部材２１、及び下板部材２２，２３が上下に重ねられることにより、高さ調整ボルト１１ａのオネジ部１１ｃの下端部は、Ｕ字開口部２１ｂ，２２ｂ，２３ｂの円弧部２１ｅ，２２ｄ，２３ｄ（図７参照）により囲まれている。
【００４９】
また、図１０（ａ）に示すように、上板部材２１の２つのメネジ孔２１ｃ（図８（ａ）参照）には、それぞれボルト２６がネジ込まれて、ボルト２６のオネジ部の先端部が、下板部材２２の上面２２ａ（図８（ｂ）参照）に当接している。
【００５０】
そして、図１０（ａ）の状態から、メネジ孔２１ｃにボルト２６を更にネジ込むことにより、図１０（ｂ）に示すように、下板部材２２の上面２２ａから、上板部材２１の上面２１ａまでの高さ寸法を大きくすることができる。
【００５１】
したがって、図１１（ａ），（ｂ）に示すように、上板部材２１のメネジ孔２１ｃ（図８（ａ）参照）にネジ込まれたボルト２６のネジ込み量を調節することにより、高さ調整ボルト１１ａの下端部に配置されたボルト頭部１１ｂの上面１１ｆから、上板部材２１の上面２１ａまでの高さを調節することができる。
【００５２】
押え部材２４は、図１２（ａ）に示すように、図中上下方向に垂直に伸びる側板部２４ａと、側板部２４ａの図中上端部から図中右側に向かって伸びる上板部２４ｂと、側板部２４ａの図中下端部から図中左側に向かって伸びる底板部２４ｃにより構成されている。
【００５３】
このように、押え部材２４は、その長さ方向（図４中上下方向）に対して垂直な断面形状が略クランク状に形成されている（図１３，１４参照）。
【００５４】
また、押え部材２５は、図１２（ｂ）に示すように、図中上下方向に垂直に伸びる側板部２５ａと、側板部２５ａの図中上端部から図中左側に向かって伸びる上板部２５ｂと、側板部２５ａの図中下端部から図中右側に向かって伸びる底板部２５ｃにより構成されている（図１３，１４参照）。
【００５５】
このように、押え部材２５は、押え部材２４と配置される向きが異なる（図５参照）だけで同じ形状を有しており、押え部材２４と同様に、その長さ方向（図４中上下方向）に対して垂直な断面形状が略クランク状に形成されている（図１３，１４参照）。
【００５６】
また、図１２（ａ），（ｂ）に示すように、押え部材２４，２５の底板部２４ｃ，２５ｃの長さ方向（図４中上下方向）の両端部には、その板厚方向（図１２中上下方向）に貫通する貫通孔２４ｄ，２５ｄがそれぞれ形成されている。
【００５７】
また、図１４に示すように、押え部材２４，２５の底板部２４ｃ，２５ｃと、フロアパネル３の上面３ａとの間には、底板部２４ｃ，２５ｃと略同じ長さ寸法を有する長板状（図６参照）のシート２９が配置されている（図１６参照）。
【００５８】
シート２９は、樹脂等の絶縁材を用いて形成されており、シート２９の長さ方向（図１５中左右方向）両端部には、底板部２４ｃ，２５ｃの貫通孔２４ｄ，２５ｄ（図１２参照）に連通する貫通孔２９ａ（図６，１６参照）がそれぞれ形成されている。
【００５９】
このように、底板部２４ｃ，２５ｃと、フロアパネル３の上面３ａの間に、絶縁材からなるシート２９を配置することにより、サーバーラック１０（図１８参照）からフロアパネル３への漏電を防止している。
【００６０】
また、図２に示すように、押え部材２４，２５は、同図中上下方向に間隔を空けて配置された２本の第１ガイドレール４の間を架け渡すように、シート２９を介してフロアパネル３の上面３ａにそれぞれ配置されている（図１４，１５参照）。
【００６１】
そして、図１４，１６に示すように、ボルト２７のオネジ部が、押え部材２４，２５の底板部２４ｃ，２５ｃの貫通孔２４ｄ，２５ｄ（図１２参照）、及びシート２９の貫通孔２９ａ（図６参照）を挿通して、第１ガイドレール４内に配置されたスライド部材７のメネジ孔７ａにネジ締結している。
【００６２】
また、図１４，１６に示すように、底板部２４ｃ，２５ｃとボルト２７が接触しないように、底板部２４ｃ，２５ｃの貫通孔２４ｄ，２５ｄ（図１２参照）、及びシート２９の貫通孔２９ａ（図６参照）には、図中上部にフランジ部を有する円筒状のブッシュ２８（図６参照）が挿入されている。
【００６３】
ブッシュ２８は、樹脂等の絶縁材を用いて形成されており、底板部２４ｃ，２５ｃとボルト２７の間にブッシュ２８を配置することにより、サーバーラック１０（図１８参照）からフロアパネル３への漏電を防止している。
【００６４】
このように、ボルト２７の頭部の下面が、ブッシュ２８のフランジ部（図１４，１６参照）を介して底板部２４ｃ，２５ｃの上面に係合し、ボルト２７のオネジ部が、第１ガイドレール４内から上方に抜け出すことがないように形成されたスライド部材７のメネジ孔７ａにネジ締結されているため、押え部材２４，２５は上方に浮き上がらないようにフロアパネル３に連結されている。
【００６５】
また、押え部材２４，２５は、図５に示すように、サーバーラック１０（図１８参照）の脚部１１の下端部を同図中左右方向から挟み込むように、互いに同図中左右対称な向きでそれぞれ設置されている。
【００６６】
すなわち、押え部材２４，２５は、図５に示すように、脚部１１の台座部１１ｄ、絶縁部材１１ｅ、ボルト頭部１１ｂ、及び、上板部材２１、下板部材２２，２３が、側板部２４ａと側板部２５ａ（図１２参照）の間に挟まれるようにそれぞれ設置されている。
【００６７】
さらに、押え部材２４，２５は、図５に示すように、上板部材２１の上面２１ａと、押え部材２４，２５の上板部２４ｂ，２５ｂの下面２４ｅ，２５ｅ（図１２参照）が接触すると共に、脚部１１のオネジ部１１ｃが、上板部２４ｂの図中右端部と、上板部２５ｂの図中左端部との間を挿通することができるように設置されている。
【００６８】
ただし、押え部材２４，２５を設置しようとする際に、上板部材２１の上面２１ａの高さ位置が、押え部材２４，２５の上板部２４ｂ，２５ｂの下面２４ｅ，２５ｅ（図１２参照）の高さ位置よりも高くなっている場合には、押え部材２４，２５を図５のように設置することはできない。
【００６９】
このため、押え部材２４，２５を設置しようとする際には、まず図１７（ａ）に示すように、上板部材２１のメネジ孔２１ｃ（図１０参照）にネジ込まれたボルト２６のネジ込み量を調節することにより、上板部材２１の上面２１ａが、押え部材２４，２５の上板部２４ｂ，２５ｂの下面２４ｅ，２５ｅよりも下側に配置されるようにしている。
【００７０】
そして、押え部材２４，２５を図１７（ａ）のように設置した後に、上板部材２１のメネジ孔２１ｃにネジ込まれたボルト２６を更にネジ込む（図１０（ｂ）、図１１（ｂ）参照）ことにより、上板部材２１の上面２１ａの高さ位置を上昇させて、図１７（ｂ）に示すように、押え部材２４，２５の上板部２４ｂ，２５ｂの下面２４ｅ，２５ｅと、上板部材２１の上面２１ａとの間の隙間を無くすことができるようになっている。
【００７１】
このように、上板部材２１が、押え部材２４，２５の上板部２４ｂ，２５ｂを上方に押圧して、下板部材２２，２３が、高さ調整ボルト１１ａのボルト頭部１１ｂを下方に押圧するように、ボルト２６を上板部材２１のメネジ孔２１ｃにネジ込むことにより、脚部１１は、フロアパネル３の上面３ａから上方に浮き上がらないように押し付けられている。
【００７２】
したがって、ボルト２６のネジ込み量を調節するだけで、サーバーラック１０の脚部１１を、フロアパネル３の上面３ａから上方に浮き上がらないように押し付けることができるため、地震等の際に、サーバーラック１０が転倒することを防止できるだけでなく、サーバーラック１０がガタつくことを容易に防止することができる。
【００７３】
また、前述のように、上板部材２１、及び下板部材２２，２３のＵ字開口部２１ｂ，２２ｂ，２３ｂは、図７（ａ）〜（ｃ）に示すように、Ｕ字状に開口するようにそれぞれ形成されている。
【００７４】
このため、高さ調整ボルト１１ａのオネジ部１１ｃが、Ｕ字開口部２１ｂ，２２ｂ，２３ｂにそれぞれの開口側から挿入されるように、上板部材２１、及び下板部材２２，２３を脚部１１の下端部に設置することができる（図９参照）。
【００７５】
したがって、サーバーラック１０（図１８参照）をフロアパネル３の上面３ａに設置した後であっても、サーバーラック１０を持ち上げて脚部１１を取り外すことなく、上板部材２１、及び下板部材２２，２３を脚部１１の下端部に容易に設置することができる。
【００７６】
ここで、機器固定部材２０の押え部材２４，２５が、上方に浮き上がらないように連結されているフロアパネル３の構成について説明する。
【００７７】
フロアパネル３は、図１５に示すように、パネル本体部３１と、その上面に貼り付けられたタイル３２と、フロアパネル３の上面３ａから上方に突出しないようにパネル本体部３１内に埋め込まれた第１ガイドレール４を備えて構成されている。
【００７８】
パネル本体部３１は、その材質にアルミニウム合金を用いたダイカスト製品であって、その上面を形成する平板部３１ａと、この平板部３１ａの裏面側に一体的に形成された複数のリブ３１ｂを備えて構成されている（図１５，１６参照）。
【００７９】
パネル本体部３１の複数のリブ３１ｂのそれぞれは、平板部３１ａの裏面側から床下方向（図１５中下側方向）に突出すると共に、平板部３１ａの水平面に沿って縦横両方向に長さが伸びるように格子状に形成されている。パネル本体部３１は、このような複数のリブ３１ｂが形成されていることにより、その強度が向上するようになっている。
【００８０】
また、パネル本体部３１の平板部３１ａの上面側には、塩化ビニル系のＰタイルや、ＨＰＬ（ハイプレッシャーラミネート）タイル等のタイル３２が貼り付けられている。
【００８１】
第１ガイドレール４は、その材質に鋼材等を用いて、その長さ方向に垂直な断面形状がＣ字型（図１６参照）になるように形成されており、Ｃ字型の開口部が上方（同図中上側）に向く状態（Ｃ字を反時計回り方向に９０度回転させたような状態）で、フロアパネル３の上面側に埋め込まれて固定されている。
【００８２】
図１４に示すように、第１ガイドレール４における、その開口部と反対側の底板部４ａには、その板厚方向に貫通すると共に、その開口面積が図１４中下側に向かうに従って小さくなるように、その内周面が傾斜して形成された貫通孔４ｄが、第１ガイドレール４の長さ方向（図１４中左右方向）に所定の間隔を空けて複数形成されている。
【００８３】
そして、底板部４ａの貫通孔４ｄには、図１４に示すように、皿ボルト３９のオネジ部３９ｂが挿通すると共に、皿ボルト３９の頭部３９ａは、その上面が底板部４ａの上面より上方に突出しないように、底板部４ａの貫通孔４ｄ内に収納されている。
【００８４】
また、図１６に示すように、パネル本体部３１の複数のリブ３１ｂの内、平板部３１ａの裏面側から床下方向（図１６中下側方向）に突出する長さ寸法が最も大きいリブ３１ｂの先端部に、その長さ方向に垂直な断面形状が逆Ｕ字状の板部材３５が、その開口部と反対側の上側板部３５ａ（図１４参照）が接触するように配置されている。
【００８５】
板部材３５は、その長さ方向に垂直な断面形状が逆Ｕ字状（図１６参照）に形成されているため、平板状に形成されている場合に比べて、上側板部３５ａが上方に引張られた場合の強度が向上されている。
【００８６】
また、板部材３５は、第１ガイドレール４と略同じ長さ寸法を有するように形成されると共に、第１ガイドレール４の鉛直方向下側（図１５参照）において、第１ガイドレール４の長さ方向（図１３中左右方向）に沿うように配置されている。
【００８７】
また、板部材３５の上側板部３５ａには、図１４に示すように、第１ガイドレール４の底板部４ａの貫通孔４ｄに対応する位置に、その板厚方向（図中上下方向）に貫通するメネジ孔３５ｂが形成されている。
【００８８】
また、そして、図１４に示すように、第１ガイドレール４の底板部４ａの貫通孔４ｄを挿通して、図中下方に突出している皿ボルト３９のオネジ部３９ｂの先端部が、板部材３５のメネジ孔３５ｂにネジ締結されている。
【００８９】
したがって、第１ガイドレール４が上方に浮き上がろうとした場合には、第１ガイドレール４の底板部４ａの貫通孔４ｄの傾斜した内周面が、皿ボルト３９の頭部３９ａの下面に係合すると共に、皿ボルト３９のオネジ部３９ｂの先端部にネジ締結された板部材３５の上側板部３５ａの上面が、パネル本体部３１のリブ３１ｂの下面に係合するようになっている。このため、第１ガイドレール４は、上方に浮き上がることがないようにパネル本体部３１に固定されている。
【００９０】
そして、第１ガイドレール４のレール内には、図１６に示すように、第１ガイドレール４の長さ方向（図１３中左右方向）に沿って移動できるように形成されたスライド部材７が配置されている。
【００９１】
スライド部材７は、その材質に鋼材等を用いて、図１６に示すように、図中下側の下側板部７ｂと、その下側板部７ｂにおける同図中左右方向の中央部から上方に突出する突出部７ｃを有するように一体形成されている。そのため、スライド部材７は、その第１ガイドレール４の長さ方向に垂直な断面形状が凸の字状（図１６参照）になるように形成されている。
【００９２】
そして、スライド部材７は、図１６に示すように、下側板部７ｂの上面が第１ガイドレール４の開口部側の内周面に接触し、突出部７ｃが第１ガイドレール４の開口部に挿入された状態で第１ガイドレール４内に配置されている。
【００９３】
前述のように、皿ボルト３９の頭部３９ａ（図１４参照）は、その上面が第１ガイドレール４の底板部４ａの上面より上方に突出しないように、底板部４ａの貫通孔４ｄ内に収納されている。そのため、スライド部材７を第１ガイドレール４の長さ方向に沿って移動させた場合に、スライド部材７が皿ボルト３９の頭部３９ａに衝突することはなく、第１ガイドレール４の図２中右側の端部から同図中左側の端部まで、スライド部材７を自由に移動させることができる。
【００９４】
また、スライド部材７の下側板部７ｂの幅の寸法（図１６中左右方向の長さ寸法）は、第１ガイドレール４の上方に開口する開口幅の寸法（図１６中左右方向の長さ寸法）よりも大きく形成されている。
【００９５】
そのため、スライド部材７は、同図中上方に引っ張られた場合でも、下側板部７ｂの上面が、第１ガイドレール４の開口部側の内周面に係合することにより図１６中上方への移動が制限されている。
【００９６】
このように、スライド部材７は、同図中上方に引っ張られた場合でも、第１ガイドレール４の開口部を通って、第１ガイドレール４から抜け出す（離脱する）ことがないように形成されている。
【００９７】
そして、前述のように、押え部材２４，２５は、スライド部材７に連結されているため、フロアパネル３の上面３ａから上方に浮き上がらないように固定されると共に、第１ガイドレール４の長さ方向（図２中左右方向）に沿って移動することができる。
【００９８】
このため、サーバーラック１０の脚部１１の下端部を挟み込むように、押え部材２４，２５を設置（図５参照）する際には、押え部材２４，２５を第１ガイドレール４の長さ方向に沿って移動させることにより、押え部材２４，２５の図２中左右方向の位置を変更することができる。
【００９９】
以上より、本実施の形態に係る機器固定部材２０を用いれば、地震等の際にサーバーラック１０がガタつくことを容易に防止することができる。
【０１００】
なお、本発明は、前記実施の形態にのみ限定されるものではなく、本発明の目的を達成することができる範囲内であれば、機器固定部材の種々の変更が可能である。
【０１０１】
例えば、前記実施の形態に係る機器固定部材２０においては、強度を高めるために下板部材２２と下板部材２３が上下に重ねられていた（図１０参照）が、このような構成に限定される必要はなく、例えば、下板部材２２のみを備えるように構成されていてもよい。
【０１０２】
また、前記実施の形態に係る機器固定部材２０においては、押え部材２４，２５は、第１ガイドレール４内に配置されたスライド部材７にそれぞれ連結され、フロアパネル３の上面３ａに直接固定されていなかったが、このような構成に限定される必要はなく、押え部材２４，２５が、フロアパネル３の上面３ａにそれぞれ直接固定されていてもよい。
【０１０３】
また、前記実施の形態に係る機器固定部材２０においては、上板部材２１のメネジ孔２１ｃにネジ込まれたボルト２６のネジ込み量を調節することにより、上板部材２１の上面２１ａの高さ位置を変更できるように構成されていたが、このような構成に限定される必要はなく、他の方法により上板部材２１の上面２１ａの高さ位置を変更できるように構成されていてもよい。
【０１０４】
また、前記実施の形態に係る機器固定部材２０においては、上板部材２１、及び下板部材２２，２３にＵ字開口部２１ｂ，２２ｂ，２３ｂ（図７参照）がそれぞれ形成されていたが、このような構成に限定される必要はなく、高さ調整ボルト１１ａのオネジ部１１ｃが挿通可能な貫通孔がそれぞれ形成されていてもよい。
【０１０５】
また、前記実施の形態に係る機器固定部材２０においては、脚部１１の高さ調整ボルト１１ａの下端部に配置されたボルト頭部１１ｂを下方に押し付けることができるように構成されていたが、高さ調整ボルト１１ａのボルト頭部１１ｂに限定される必要はなく、他の拡径部（鍔部）を下方に押し付けることができるように構成されていてもよい。
【０１０６】
また、前記実施の形態に係る機器固定部材２０は、サーバーラック１０の脚部１１を固定するために用いられていたが、サーバーラック１０に限定される必要はなく、他の機器の脚部を固定するために用いられていてもよい。
【符号の説明】
【０１０７】
１  データセンター
２  機器固定部材
３  フロアパネル
３ａ  上面
４  第１ガイドレール
４ａ  底板部
４ｄ  貫通孔
５  基礎床面
６  第２ガイドレール
７  スライド部材
７ａ  メネジ孔
７ｂ  下側板部
７ｃ  突出部
８  支持脚
９  スライド部材
１０  サーバーラック
１１  脚部
１１ａ  高さ調整ボルト
１１ｂ  ボルト頭部
１１ｃ  オネジ部
１１ｄ  台座部
１１ｅ  絶縁部材
１１ｆ  上面
１２  フリーアクセスフロア
１３  押え部材
１３ａ  段差部
１３ｂ  上側板部
１３ｃ  下側板部
１３ｄ  開口部
１３ｅ  貫通孔
１４  板部材
１５  ボルト
１６  ナット
２０  機器固定部材
２１  上板部材
２１ａ  上面
２１ｂ  Ｕ字開口部
２１ｃ  メネジ孔
２１ｄ  折曲部
２１ｅ  円弧部
２２  下板部材
２２ａ  上面
２２ｂ  Ｕ字開口部
２２ｃ  折曲部
２２ｄ  円弧部
２３  下板部材
２３ａ  上面
２３ｂ  Ｕ字開口部
２３ｃ  折曲部
２３ｄ  円弧部
２４  押え部材
２４ａ  側板部
２４ｂ  上板部
２４ｃ  底板部
２４ｄ  貫通孔
２４ｅ  下面
２５  押え部材
２５ｂ  上板部
２５ｃ  底板部
２５ｄ  貫通孔
２５ｅ  下面
２６  ボルト
２７  ボルト
２８  ブッシュ
２９  シート
２９ａ  貫通孔
３１  パネル本体部
３１ａ  平板部
３１ｂ  リブ
３５  板部材
３５ａ  上側板部
３５ｂ  メネジ孔
３９  皿ボルト
３９ａ  頭部
３９ｂ  オネジ部
【図１】
0006529406.tif 000002
【図２】
0006529406.tif 000003
【図３】
0006529406.tif 000004
【図４】
0006529406.tif 000005
【図５】
0006529406.tif 000006
【図６】
0006529406.tif 000007
【図７】
0006529406.tif 000008
【図８】
0006529406.tif 000009
【図９】
0006529406.tif 000010
【図１０】
0006529406.tif 000011
【図１１】
0006529406.tif 000012
【図１２】
0006529406.tif 000013
【図１３】
0006529406.tif 000014
【図１４】
0006529406.tif 000015
【図１５】
0006529406.tif 000016
【図１６】
0006529406.tif 000017
【図１７】
0006529406.tif 000018
【図１８】
0006529406.tif 000019
【図１９】
0006529406.tif 000020
【図２０】
0006529406.tif 000021
【図２１】
0006529406.tif 000022
【図２２】
0006529406.tif 000023
【図２３】
0006529406.tif 000024
【図２４】
0006529406.tif 000025